(57)【要約】【課題】複数の送受信端末が時分割多重送信する通信路で、ビットストリームの送信を、所定の遅延時間内で行うことにある。【解決手段】無線ネットワークに接続される複数の送受信端末と、それらの送受信端末に送信時刻を割り当てる制御信号を送信する制御端末とを含んで構成されるスペクトラム拡散通信システムで、制御端末から送信される制御信号により指定される指定端末はビットストリームを所定の拡散符号で拡散して送信した後に、その周波数帯域に存在する信号を信号検出手段により検出し、拡散符号と相関を有する信号が検出されないときに、次のパケット化連続データの送信許可を要求信号送信手段により送信するようにして、映像情報の継続的な送信を行うスペクトラム拡散通信装置を構成するようにした。【選択図】    図１
2004343184.tif 000002
【特許請求の範囲】
【請求項１】
所定の拡散符号で拡散されたパケット化データを送受信する複数の送受信端末と、前記複数の送受信端末のうちの少なくとも１つに対して前記パケット化データのうちの映像又は音声を含むパケット化連続データの送信許可及び送信時刻の指定を行う制御信号を生成する送受信制御端末と、からなり、前記複数の送受信端末間で前記パケット化連続データを連続的に送受信可能にするスペクトラム拡散通信方式において、
前記送受信制御端末により送信許可が与えられた送受信端末から、前記送受信制御端末で指定される送信時刻に前記パケット化連続データを所定の周波数帯域で他の送受信端末に送信する第１ステップと、
この後、前記送信許可が与えられた送受信端末の受信手段で、前記所定の周波数帯域で受信されるデータのうち、前記所定の拡散符号と異なる拡散符号で拡散された受信信号を検出する第２ステップと、
前記受信手段で検出された受信信号が所定レベル値以下の場合に、前記送信許可が与えられた送受信端末は、前記パケット化連続データの次に送信すべきパケット化連続データの送信許可を得るための送信許可要求信号を前記送受信制御端末に送信する第３ステップと、
前記送信許可が与えられた送受信端末から前記送受信制御端末で指定される送信時刻に前記次に送信すべきパケット化連続データを前記所定の周波数帯域で前記他の送受信端末に送信する第４ステップと、
第２〜第４ステップを繰り返して、前記パケット化連続データを連続的に送信する第５ステップと、
からなることを特徴とするスペクトラム拡散通信方式。
【請求項２】
所定の拡散符号で拡散されたパケット化データを送受信する複数の送受信端末と、前記複数の送受信端末のうちの少なくとも１つに対して前記パケット化データのうちの映像又は音声を含むパケット化連続データの送信許可及び送信時刻の指定を行う制御信号を生成する送受信制御端末と、からなり、前記複数の送受信端末間で前記パケット化連続データを連続的に送受信可能にするスペクトラム拡散通信方式において、
前記送受信制御端末により送信許可が与えられた送受信端末から、前記送受信制御端末で指定される送信時刻に前記パケット化連続データを所定の周波数帯域で他の送受信端末に送信する第１ステップと、
この後、前記送信許可が与えられた送受信端末の受信手段で、前記所定の周波数帯域で受信されるデータのうち、前記所定の拡散符号で拡散された受信信号を検出する第２ステップと、
前記受信手段で検出された受信信号がない場合に、前記送信許可が与えられた送受信端末は、前記パケット化連続データの次に送信すべきパケット化連続データの送信許可を得るための送信許可要求信号を前記送受信制御端末に送信する第３ステップと、
前記送信許可が与えられた送受信端末から前記送受信制御端末で指定される送信時刻に前記次に送信すべきパケット化連続データを前記所定の周波数帯域で前記他の送受信端末に送信する第４ステップと、
第２〜第４ステップを繰り返して、前記パケット化連続データを連続的に送信する第５ステップと、
からなることを特徴とするスペクトラム拡散通信方式。
【請求項３】
前記請求項１又は２に記載するスペクトラム拡散通信方式であって、
前記第３ステップは、前記受信手段で検出された受信信号が所定レベル値以下の場合又は前記受信手段で検出された受信信号がない場合に、前記送信許可が与えられた送受信端末は、前記パケット化連続データの次に送信すべきパケット化連続データの送信許可を得るための送信許可要求信号を、送信期間が１シンボル期間のスペクトラム拡散信号により前記送受信制御端末に送信するステップであることを特徴とするスペクトラム拡散通信方式。
【請求項４】
前記請求項１又は２に記載するスペクトラム拡散通信方式であって、
前記第３ステップは、前記受信手段で検出された受信信号が所定レベル値以下の場合又は前記受信手段で検出された受信信号がない場合に、前記送信許可が与えられた送受信端末は、前記パケット化連続データの次に送信すべきパケット化連続データの送信許可を得るための送信許可要求信号を、映像又は音声を含むデータを送信中であること、及び前記パケット化連続データを連続して送信することを示すために必要な複数シンボル期間のスペクトラム拡散信号により、前記送受信制御端末に送信するステップであることを特徴とするスペクトラム拡散通信方式。
【請求項５】
所定の拡散符号で拡散されたパケット化データを送受信する複数の送受信端末と、前記複数の送受信端末のうちの少なくとも１つに対して前記パケット化データのうちの映像又は音声を含むパケット化連続データの送信許可及び送信時刻の指定を行う制御信号を生成する送受信制御端末と、からなり、前記複数の送受信端末間で前記パケット化連続データを連続的に送受信可能にするスペクトラム拡散通信装置において、
前記送受信制御端末より与えられる送信許可及び指定される送信時刻に前記パケット化連続データを所定の周波数帯域で他の送受信端末に送信するデータ送信手段と、
前記データ送信手段によるパケット化連続データの送信後に、前記所定の周波数帯域で受信されるデータのうち、前記所定の拡散符号と異なる拡散符号で拡散された受信信号を検出する信号検出手段と、
前記信号検出手段で検出された受信信号が所定レベル値以下の場合に、前記パケット化連続データの次に送信すべきパケット化連続データの送信許可を得るための送信許可要求信号を前記送受信制御端末に送信する要求信号送信手段と、
を具備し、前記パケット化連続データを連続的に送信するように構成することを特徴とするスペクトラム拡散通信装置。
【請求項６】
所定の拡散符号で拡散されたパケット化データを送受信する複数の送受信端末と、前記複数の送受信端末のうちの少なくとも１つに対して前記パケット化データのうちの映像又は音声を含むパケット化連続データの送信許可及び送信時刻の指定を行う制御信号を生成する送受信制御端末と、からなり、前記複数の送受信端末間で前記パケット化連続データを連続的に送受信可能にするスペクトラム拡散通信装置において、
前記送受信制御端末より与えられる送信許可及び指定される送信時刻に前記パケット化連続データを所定の周波数帯域で他の送受信端末に送信するデータ送信手段と、
前記データ送信手段によるパケット化連続データの送信後に、前記所定の周波数帯域で受信されるデータのうち、前記所定の拡散符号で拡散された受信信号を検出する信号検出手段と、
前記信号検出手段で受信信号が検出されない場合に、前記パケット化連続データの次に送信すべきパケット化連続データの送信許可を得るための送信許可要求信号を前記送受信制御端末に送信する要求信号送信手段と、
を具備し、前記パケット化連続データを連続的に送信するように構成することを特徴とするスペクトラム拡散通信装置。
【発明の詳細な説明】
【０００１】
【発明の属する技術分野】
本発明は、ＵＷＢ（Ｕｌｔｒａ  Ｗｉｄｅ  Ｂａｎｄ）と呼ばれるＤＳ−ＳＳ（Ｄｉｒｅｃｔ  Ｓｅｑｕｅｎｃｅ  −  Ｓｐｒｅａｄ  Ｓｐｅｃｔｒｕｍ）やインパルス無線による広帯域化を含むスペクトラム通信などを用いて、映像信号を符号化して生成されるビットストリームをパケット構造化して伝送するスペクトラム拡散通信方式、及びスペクトラム拡散通信装置に関し、特に複数の伝送装置により共通の周波数帯域を用いて時間分割伝送するネットワークにおいて、それぞれの端末装置間で所望のデータ通信を行うと共に、連続する映像信号の伝送に対しても所定の品質を保証して行う通信方法に関するものである。
【０００２】
【従来の技術】
近年、インターネットを中心とするマルチメディアネットワークの発達には目覚しいものがあり、世界各国ではＩＴ（Ｉｎｆｏｒｍａｔｉｏｎ  Ｔｅｃｈｎｏｌｏｇｙ）を中心とする情報革命が進められている。そして、現在のマルチメディアネットワークは、主として有線により結合されるコンピュータを中心として利用されているが、利用者の利便性を図る無線ネットワークシステムに係る製品も開発され、市場に出されている。
【０００３】
無線ネットワークに用いられている方式として、２．４ＧＨｚの周波数帯を用いるＩＥＥＥ８０２．１１（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  ８０２．１１  ａｃｔｉｖｉｔｉｅｓ）ｂに準拠するＤＳ−ＳＳ方式のシステムがあり、ホームネットワークにおける、またホットスポットにおける無線結合方式として広く用いられている。
【０００４】
現在では、そのホームネットワークにより伝送されるデータは文字、静止画などが中心であるが、さらにはビデオカメラで撮影した映像信号の伝送なども要求されている。その伝送方式として、ＩＥＥＥ８０２．１５．３（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  ８０２．１５．３  ａｃｔｉｖｉｔｉｅｓ）ａにおいてＵＷＢ（Ｕｌｔｒａ  Ｗｉｄｅ  Ｂａｎｄ）と呼ばれる通信システムの標準化作業が進められている。その方式は、３．１ＧＨｚから１０．６ＧＨｚの広い周波数帯域を雑音レベル程度の微小な信号レベル用いて伝送するものである。
【０００５】
ＵＷＢの第１の変調方式としては、高速に生じさせるインパルスの発生位置（時間）及びインパルスの極性（正、負）を変化させて情報を伝送するパルス位置変調方式がある。また、複数の異なる極性のインパルスを組み合わせてコードを形成し、直交するコードの組み合わせにより情報を伝送するようにしたＤＳ−ＳＳ方式も提案されている。
【０００６】
さらには、インパルスの周波数帯域を異なる周波数帯ごとに発生させ、それぞれの異なる帯域ごとに情報の伝送を行うサブバンド方式が、そしてまたそれらの周波数の異なるインパルスを複数の周波数帯域ごとに切換えながら情報を伝送する周波数ホッピング方式の開発もなされている。
【０００７】
それらのいずれの方式も、広帯域に周波数分布するインパルスを用いるＤＳ−ＳＳによるスペクトラム拡散通信方式であり、情報を拡散させることにより拡散利得を得、微弱な信号で送信し信号対干渉比電力を改善しつつ通信を行う技術として開発されている。
【０００８】
一方、それらの無線方式で伝送される情報信号は、無線ＬＡＮ（Ｌｏｃａｌ  Ａｒｉａ  Ｎｅｔｗｏｒｋ）方式に適するパケット型で伝送することにより、即ちバースト伝送方式を用いることにより複数の無線端末装置が共通の周波数帯域を用いて通信を行うことができる。
【０００９】
そして、複数の無線端末装置のそれぞれが通信を行う方法としては、アクセスポイントに設置される親機が子機から送信される信号を一旦受信し、別の周波数を用いて目的の子機に対して再送信する集中型システムと、ネットワーク内に特に親機を設けることなく無線端末装置同士が共通の周波数帯域を用いて送受信を行う分散型システムがある。
【００１０】
それらを比較するに、分散型システムの場合は周波数の利用効率が高く、近年の無線ＬＡＮシステムでは分散型システムが多く用いられている。しかし、異なる端末装置から同時にネットワークに信号が送出されたときには、パケットの衝突が生じデータ誤りが発生するなど好ましくない。有線ＬＡＮによるネットワークシステムの場合では、パケットの衝突が検出可能であるので、衝突を検出した方の一方の端末装置はデータ送信を中断するようにして、パケットの衝突による伝送品質の低下を防ぐようにしている。
【００１１】
そして、無線ＬＡＮ方式の場合では、ＣＳＭＡ／ＣＡ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ａｖｏｉｄａｎｃｅ）により伝送路における混信を防ぐようにしている。即ち、送信している端末側では共通の通信路で伝送される他の端末側からの信号干渉により生じるコリジョンを検出できないため、各無線端末は通信路が一定時間以上継続して空いていることを確認してからデータを送信するようにしている。
【００１２】
そのＣＳＭＡ／ＣＡ方式を用いるデータ通信は、従来の文字、静止画を伝送するための伝送方式としては好適に用いることができている。しかし、例えば映像信号を符号化したビットストリームのように連続した伝送が必要なデータに対しては、伝送時に生じる遅延時間の変動は所定時間以内に収められなく好適ではない。
【００１３】
そこで、遅延時間が所定時間以内の伝送により行う方法として、例えばＩＥＥＥ８０２．１１無線ＬＡＮ規格により動作するネットワークサービスでの高いＱｏＳ（Ｑｕａｌｉｔｙ  ｏｆ  Ｓｅｒｖｉｃｅ）を得る通信方法では、例えば無線ＬＡＮを構成する端末装置の中で、ＱｏＳを必要とする高い優先度の局を予め識別しておく方法がある。そして、無線ＬＡＮのプロトコル上規定されている競合期間と無競合期間とを使い分けて送信するようにする。
【００１４】
即ち、複数の局を１つのポーリングリストの組にグループ分けし、高い優先度の局として識別されている局にポーリングリストのサブセットから局を選択するための優先権を与える。次に、ポーリングリストのサブセット内に含めるための多数のグループ分けされた局を選択し、無競合期間中に高い優先度の局をポーリングするようにする方法である（例えば、特許文献１参照。）。
【００１５】
一方、ＵＷＢ信号の標準化を進めるＩＥＥＥ８０２．１５．３ａにおいては、その上位の規格であるＩＥＥＥ８０２．１５．３に規定されるＭＡＣ（Ｍｅｄｉａ  Ａｃｃｅｓｓ  Ｃｏｎｔｒｏｌ）層を用いることが決められている。このＭＡＣ層は上記で説明した高いＱｏＳを必要とする高い優先度の局を予め識別する機能を持たせるためのものであり、現在好適に映像信号を伝送することのできる無線システムについて審議中である。
【００１６】
【特許文献１】
特開２００２−３１４５４６号公報
【００１７】
【発明が解決しようとする課題】
ところで、従来の動画を含まないデータの送信は上記の方法によりパケットの衝突を防いだ送信制御は可能であるものの、映像信号をリアルタイムで連続送信しようとするときには、例えばＭＰＥＧ（ｍｏｖｉｎｇ  ｐｉｃｔｕｒｅ  ｅｘｐｅｒｔｓ  ｇｒｏｕｐ）などにより圧縮符号化したディジタル映像信号の伝送に対して符号化信号を一時記憶するバッファメモリのデータがオーバフロー、ないしはアンダーフローするなどにより映像の動きに障害が発生しないようにした無線伝送システムを実現する必要がある。
【００１８】
そのために、複数の送信端末に対する送信時間の制御を上述の集中型システムと同様に構成し、親機により伝送路を制御する、即ちマスター機の指示により子機が送信を行う方法が考えられる。しかしながら、その実現にはマスター機に遅延させないで伝送すべき情報があることを届け、マスター機は他の送信端末との送信時間の調整を行い、その結果許可された時間にＵＷＢ信号を送信するようにしなければならなく煩雑であり、周波数資源を有効に利用するネットワークを実現できない。
【００１９】
そこで本発明は、送受信端末同士で送信時間の調整を行うようにし、送信許可を得るための手続きを簡略化した無線ネットワークシステムを実現する。即ち、送信端末は、例えば４ｍ秒以内ごとに、送信しようとする帯域に干渉を与える信号が検出されたときは直ちに送信を停止し、干渉を与えるおそれがないときには４ｍ秒以内の送信を認めるようにし、送信端末は自らＵＷＢ信号を送信して良いか否かの判断を行うようにすると共に、その判断後の所定時間以内にビットストリームを伝送しようとするときには、その伝送に係るフラグ信号を最短期間の信号により通知するようにし、衝突により生じるデータパケットの誤り率を減少させ、さらに符号化された映像信号の送信がスムーズに行えるようにしたスペクトラム拡散通信方式、及びスペクトラム拡散通信装置の構成を実現しようとするものである。
【００２０】
【課題を解決するための手段】
本発明は、上記課題を解決するために以下の１）〜６）の手段より成るものである。
すなわち、
【００２１】
１）  所定の拡散符号で拡散されたパケット化データを送受信する複数の送受信端末と、前記複数の送受信端末のうちの少なくとも１つに対して前記パケット化データのうちの映像又は音声を含むパケット化連続データの送信許可及び送信時刻の指定を行う制御信号を生成する送受信制御端末と、からなり、前記複数の送受信端末間で前記パケット化連続データを連続的に送受信可能にするスペクトラム拡散通信方式において、
前記送受信制御端末により送信許可が与えられた送受信端末から、前記送受信制御端末で指定される送信時刻に前記パケット化連続データを所定の周波数帯域で他の送受信端末に送信する第１ステップ（３５、３８）と、
この後、前記送信許可が与えられた送受信端末の受信手段で、前記所定の周波数帯域で受信されるデータのうち、前記所定の拡散符号と異なる拡散符号で拡散された受信信号を検出する第２ステップ（４３）と、
前記受信手段で検出された受信信号が所定レベル値以下の場合に、前記送信許可が与えられた送受信端末は、前記パケット化連続データの次に送信すべきパケット化連続データの送信許可を得るための送信許可要求信号を前記送受信制御端末に送信する第３ステップ（４４、３６、３５）と、
前記送信許可が与えられた送受信端末から前記送受信制御端末で指定される送信時刻に前記次に送信すべきパケット化連続データを前記所定の周波数帯域で前記他の送受信端末に送信する第４ステップと、
前記第２〜第４ステップを繰り返して、前記パケット化連続データを連続的に送信する第５ステップと、
からなることを特徴とするスペクトラム拡散通信方式。
２）  所定の拡散符号で拡散されたパケット化データを送受信する複数の送受信端末と、前記複数の送受信端末のうちの少なくとも１つに対して前記パケット化データのうちの映像又は音声を含むパケット化連続データの送信許可及び送信時刻の指定を行う制御信号を生成する送受信制御端末と、からなり、前記複数の送受信端末間で前記パケット化連続データを連続的に送受信可能にするスペクトラム拡散通信方式において、
前記送受信制御端末により送信許可が与えられた送受信端末から、前記送受信制御端末で指定される送信時刻に前記パケット化連続データを所定の周波数帯域で他の送受信端末に送信する第１ステップ（３５、３８）と、
この後、前記送信許可が与えられた送受信端末の受信手段で、前記所定の周波数帯域で受信されるデータのうち、前記所定の拡散符号で拡散された受信信号を検出する第２ステップ（４２）と、
前記受信手段で検出された受信信号がない場合に、前記送信許可が与えられた送受信端末は、前記パケット化連続データの次に送信すべきパケット化連続データの送信許可を得るための送信許可要求信号を前記送受信制御端末に送信する第３ステップ（４４、３６、３５）と、
前記送信許可が与えられた送受信端末から前記送受信制御端末で指定される送信時刻に前記次に送信すべきパケット化連続データを前記所定の周波数帯域で前記他の送受信端末に送信する第４ステップと、
前記第２〜第４ステップを繰り返して、前記パケット化連続データを連続的に送信する第５ステップと、
からなることを特徴とするスペクトラム拡散通信方式。
３）  前記１）又は２）項に記載するスペクトラム拡散通信方式であって、
前記第３ステップは、前記受信手段で検出された受信信号が所定レベル値以下の場合又は前記受信手段で検出された受信信号がない場合に、前記送信許可が与えられた送受信端末は、前記パケット化連続データの次に送信すべきパケット化連続データの送信許可を得るための送信許可要求信号を、送信期間が１シンボル期間のスペクトラム拡散信号により前記送受信制御端末に送信するステップであることを特徴とするスペクトラム拡散通信方式。
４）  前記１）又は２）項に記載するスペクトラム拡散通信方式であって、
前記第３ステップは、前記受信手段で検出された受信信号が所定レベル値以下の場合又は前記受信手段で検出された受信信号がない場合に、前記送信許可が与えられた送受信端末は、前記パケット化連続データの次に送信すべきパケット化連続データの送信許可を得るための送信許可要求信号を、映像又は音声を含むデータを送信中であること、及び前記パケット化連続データを連続して送信することを示すために必要な複数シンボル期間のスペクトラム拡散信号により、前記送受信制御端末に送信するステップであることを特徴とするスペクトラム拡散通信方式。
５）  所定の拡散符号で拡散されたパケット化データを送受信する複数の送受信端末と、前記複数の送受信端末のうちの少なくとも１つに対して前記パケット化データのうちの映像又は音声を含むパケット化連続データの送信許可及び送信時刻の指定を行う制御信号を生成する送受信制御端末と、からなり、前記複数の送受信端末間で前記パケット化連続データを連続的に送受信可能にするスペクトラム拡散通信装置において、
前記送受信制御端末より与えられる送信許可及び指定される送信時刻に前記パケット化連続データを所定の周波数帯域で他の送受信端末に送信するデータ送信手段（３５、３８）と、
前記データ送信手段によるパケット化連続データの送信後に、前記所定の周波数帯域で受信されるデータのうち、前記所定の拡散符号と異なる拡散符号で拡散された受信信号を検出する信号検出手段（４３）と、
前記信号検出手段で検出された受信信号が所定レベル値以下の場合に、前記パケット化連続データの次に送信すべきパケット化連続データの送信許可を得るための送信許可要求信号を前記送受信制御端末に送信する要求信号送信手段（４４、３６、３５）と、
を具備し、前記パケット化連続データを連続的に送信するように構成することを特徴とするスペクトラム拡散通信装置。
６）  所定の拡散符号で拡散されたパケット化データを送受信する複数の送受信端末と、前記複数の送受信端末のうちの少なくとも１つに対して前記パケット化データのうちの映像又は音声を含むパケット化連続データの送信許可及び送信時刻の指定を行う制御信号を生成する送受信制御端末と、からなり、前記複数の送受信端末間で前記パケット化連続データを連続的に送受信可能にするスペクトラム拡散通信装置において、
前記送受信制御端末より与えられる送信許可及び指定される送信時刻に前記パケット化連続データを所定の周波数帯域で他の送受信端末に送信するデータ送信手段（３５、３８）と、
前記データ送信手段によるパケット化連続データの送信後に、前記所定の周波数帯域で受信されるデータのうち、前記所定の拡散符号で拡散された受信信号を検出する信号検出手段（４２）と、
前記信号検出手段で受信信号が検出されない場合に、前記パケット化連続データの次に送信すべきパケット化連続データの送信許可を得るための送信許可要求信号を前記送受信制御端末に送信する要求信号送信手段（４４、３６、３５）と、
を具備し、前記パケット化連続データを連続的に送信するように構成することを特徴とするスペクトラム拡散通信装置。
【００２２】
【発明の実施の形態】
以下、本発明のスペクトラム拡散通信方式、及びスペクトラム拡散通信装置の実施の形態につき、好ましい実施例により説明する。
≪第１の実施例≫
図１に、その第１の実施例に関わるスペクトラム拡散送受信システムの概略構成を示し、図面を参照してその動作について述べる。
【００２３】
同図に示すスペクトラム拡散送受信システムは、ビデオカメラ１、ＭＰＥＧエンコーダ２、複数の送受信端末３ａ、３ｂ、３ｃ、３ｄ、マスター機５、ＭＰＥＧデコーダ７、及びＴＶ８よりなっている。
【００２４】
まず、ビデオカメラ１により撮影して得られるビデオ信号はＭＰＥＧエンコーダ２に供給される。そこではＭＰＥＧ（ｍｏｖｉｎｇ  ｐｉｃｔｕｒｅ  ｅｘｐｅｒｔｓ  ｇｒｏｕｐ）により制定された符号化標準により符号化されたビットストリームが生成される。そのビットストリームは送受信端末３ａに供給される。そこでは所定のビット数ごとに区切られてパケット化され、次に誤り訂正信号の付加、及び所望帯域への拡散処理がなされてＵＷＢ（Ｕｌｔｒａ  Ｗｉｄｅ  Ｂａｎｄ）信号が生成される。
【００２５】
そのＵＷＢ信号は高周波信号に変換され、後述のマスター機５に制御されるタイミングにより図示しない空中線を介して空間伝送路に放射される。空間伝送路に放射された信号は送受信端末３ｂにより受信され、高周波信号処理、及びＵＷＢ信号の復号化処理がなされてビットストリーム信号が得られ、その得られた信号はＭＰＥＧでコーダ７に供給される。そこでは、ＭＰＥＧに規定される方法により復号化されてビデオ信号が得られ、ＴＶ８に供給され映像信号が表示される。
【００２６】
ここで、送受信端末３ａから送受信端末３ｂに伝送されるＵＷＢ信号はパケット化された信号であり、ビットストリームは断続的なディジタルデータとして伝送される。しかし、ＭＰＥＧエンコーダ２及びＭＰＥＧデコーダ７はビットストリームを一時記憶するバッファを有しており、そのバッファがオーバフローないしはアンダーフローしない限り、パケット化されて断続的に伝送されるビットストリームからでも、連続するビデオ信号が復号化されて得られるようになされている。
【００２７】
そこで、送受信端末３ａから伝送されるパケット化信号と、次のパケット化信号の間に第３の送受信端末３ｃから送受信端末３ｄへの情報信号の伝送を行う。ここで、送受信端末３ｃから伝送される信号は、映像信号を含まないいわゆる静止画像、文字データなどの情報であり、伝送が遅延する場合であっても使用上差し支えのない信号である。
【００２８】
そして、マスター機５はそれらの送受信端末から送信される信号の時間管理を行う。即ち、マスター機５は、後述の方法により空間伝送路に伝送を待機する送受信端末に対してＵＷＢ信号の送信許可を与えると共に、その送信に係るパケットの時間位置の指定を行うようにして、ビットストリームの伝送を正規に行わせ、且つ通常の情報信号の伝送も行わせるようにネットワークで伝送される信号の制御を行っている。
【００２９】
以上、スペクトラム拡散送受信システムの構成とその動作について概説した。
次に、送受信端末３ａ、３ｂ、３ｃ、及び３ｄの送信部及び受信部の構成と動作について述べる。
図２に、第１の実施例における送信部の構成例を示し、図面を参照しつつその動作について述べる。
【００３０】
同図に示す送受信端末の送信部は、ストリーム判定器３１、ヘッダ信号生成器３２、誤り訂正信号付加器３３、マッピング器３４、拡散処理器３５、ストリームフラグ器３６、及び高周波信号処理器３８より構成される。
【００３１】
まず、ＭＰＥＧエンコーダ２により符号化され、生成されたビットストリームは情報信号入力端子を介して誤り訂正信号付加器３３に供給され、そこで誤り訂正信号の付加がなされると共に、ストリーム判定器３１にも供給される。そして、ストリーム判定器３１では入力される情報信号が連続して伝送される必要のある、ＱｏＳを保証すべきビットストリーム信号であるか否かの判定がなされる。
【００３２】
次に、ビットストリーム信号であるとして判定されたときには、その判定結果はヘッダ信号生成器３２に供給される。そのヘッダ信号生成器３２では、パケット化されるデータの最初の部分に付加されるヘッダ信号に、ストリーム信号であることを示すストリームフラグが立てられるようにし、優先順位の高いパケット化信号であることを示す。
【００３３】
ヘッダ信号生成器３２で生成されたヘッダ信号と、誤り訂正信号付加器３３で生成されたビットストリームが分割されて誤り訂正信号の付加された信号とはマッピング回路３４に供給される。そこでは、ＢＰＳＫ（ｂｉ−ｐｈａｓｅ  ｓｈｉｆｔ  ｋｅｙｉｎｇ）又は多値ＱＡＭ（Ｑｕａｄｒａｔｕｒｅ  Ａｍｐｌｉｔｕｄｅ  Ｍｏｄｕｌａｔｉｏｎ）変調されて生成されるＵＷＢ信号の信号点情報がマッピングにより与えられる。
【００３４】
そして、ＱＡＭ平面上にマッピングされたマッピング情報は拡散処理器３５に供給され、そこではスペクトラム拡散を行うための拡散符号により与えられるシンボル期間により拡散処理がなされてＵＷＢ信号が生成され、高周波信号処理器３８に供給される。
【００３５】
その、高周波信号処理器３８では、ＵＷＢ信号は必要に応じて所定の周波数帯の信号に変換される。例えば、周波数ホッピングを行ったＵＷＢ信号の場合にはここで中心周波数が可変の搬送波発生回路と組み合わされてマルチバンドにホッピングするＵＷＢ信号が生成され、図示しないアンテナを介して空間伝送路に送信される。
【００３６】
なお、拡散処理回路３５により発生されるインパルスが１ｎｓ程度の急峻な波形であり、そのインパルスの発生時間が位相変調されるようにして高周波のＵＷＢ信号を発生させるときには、その生成されたＵＷＢ信号は高周波信号処理器３８において特に周波数変換処理がなされることなく、所望の周波数分布を有するスペクトラム拡散信号として処理され、アンテナ回路に供給され、空間伝送路に送信される。
【００３７】
ここで、上記のストリームフラグ生成器３６は、ストリーム判定器３１によりビットストリームを伝送中であることが検出され、且つビットストリームのパケット化信号を伝送した後に後記のキャリアセンスを行い、キャリアが検出されないとされるときに伝送するストリームフラグを生成するための回路であり、その動作については後述する。
【００３８】
以上、送受信端末の送信部の構成とその動作について述べた。次に、受信部について述べる。
図３に、第１の実施例に係る受信部の構成を示し、図面を参照しつつその動作について述べる。
【００３９】
同図に示す受信部は、高周波信号処理器４１、相関信号検出器４２、キャリアレベル検出器４３、キャリアレベル判定器４４、逆拡散処理器４５、デマッピング器４６、誤り信号訂正処理器４７、及びヘッダ信号取得器４８より構成される。
【００４０】
まず、空間伝送路を介して受信されるＵＷＢ信号は高周波信号処理器に供給され、そこでは増幅、波形等価などの処理がなされて逆拡散処理回路４５に供給される。その逆拡散処理回路４５では、上記送信部でなされたのと相補的な逆拡散処理が行われ、マッピング信号が得られる。
【００４１】
そのマッピング信号はデマッピング器４６に供給されて復号化データが得られ、その復号化データの一部はヘッダ信号取得器４８に供給され、送信部から伝送されたヘッダ信号が得られると共に、復号化データの他の一部は誤り信号訂正処理回路４７に供給されて誤りデータの検出と訂正がなされる。そして、伝送されたビットストリーム信号が得られ、受信部から出力される。
【００４２】
そして、受信部は伝送用周波数帯域で、他の送受信端末により送信されるキャリア信号成分があるか否かの検出を行う。すなわち、相関信号検出器４２は自局と同一の拡散係数が用いられて送信されているキャリア成分があるか否かを検出する。
【００４３】
また、キャリアレベル検出器４３は自局と同一の周波数帯で通信のなされている信号に対し、自局と異なる拡散処理のなされている信号を含めてキャリア成分の検出を行なう。そして、相関信号検出器４２及びキャリアレベル検出器４３により検出されたキャリア成分はキャリアレベル判定器４４に供給される。
【００４４】
そのキャリアレベル判定器４４では、相関信号検出器４２により検出された微小レベルの検出信号がないときに、及びキャリアレベル検出器４３により検出された検出信号が拡散により干渉の回避が可能である所定レベル以上の検出信号が検出されないときには自局からの送信が可能であると判定する。その判定結果は前述の図２のストリームフラグ器３６に供給されるようになされている。
【００４５】
以上、送受信端末及びマスター機が有する送信部及び受信部の構成とその動作について述べた。なお、マスター機には、それぞれの送受信端末から送信される信号を制御するための図示しない制御信号生成器が格納されている。
【００４６】
次に、複数の送受信端末とマスター機が共通の周波数帯域及び共通の拡散符号を用い、共通のパケットデータ期間により時分割されてなされる通信方法について述べる。
【００４７】
図４に、第１の実施例におけるマスター機５、送受信端末３ａ、及び送受信端末３ｃにより送信される信号と、その時間の関係を示す。
同図において、横軸は時間であり、縦には（１）がマスター機５が送受信する信号、（２）は送受信端末３ａが、そして（３）は送受信端末３ｃが送受信する信号を示している。また、点線で囲んだ期間は受信動作を、太線で囲んだ期間は送信動作を行うことを示している。
【００４８】
そして、（１）におけるＣＳ（Ｃａｒｒｉｅｒ  Ｓｅｎｓｅ）は、その期間に送信されている信号があるかないかを検出するための受信期間であり、相関信号検出器４２により伝送帯域に他の送受信端末から送信されており、自局が有する拡散符号と相関する信号があるか否かの検出を行う。
【００４９】
ここで拡散符号と相関する信号とは、自局で拡散を行う拡散符号の外に、例えば拡散符号やホッピングパターンが同一な他の信号が送信されているときには、相手局に対して干渉を与えるおそれがあるとして検出する。
【００５０】
そして、拡散符号やホッピングパターンが自局と異なる信号により送信されているときには、その異なりにより得られる拡散利得の余裕度に応じ、所定のレベル以上の信号が検出されたときに干渉を与える恐れがあるとして、キャリア信号を検出するようにする。
【００５１】
また、相関信号が検出されるときには次のＣＮＴ（Ｃｏｎｔｒｏｌ  Ｓｉｇｎａｌ）の送信を休止し、受信動作を継続する。そして、相関信号が検出されないときにはＣＮＴ信号の送信を行う。
【００５２】
そのマスター機５から送信されるＣＮＴは、それぞれの送受信端末に対してパケットデータの同期を取らせるための信号であると共に、特定の送受信端末に対してＣＮＴに続けてデータ送信の許可を与えるための制御信号でもある。
【００５３】
即ち、前述の図１に示したスペクトラム拡散送受信システムの場合では、送受信端末３ａがビットストリームの送信を行っており、優先順位が高く設定されているため、マスター機５はその送受信端末３ａに対して送信許可を与えるための制御信号を送信するようにしている。
【００５４】
送信許可を受けた送受信端末３ａは、ビットストリームのデータを送信する。そして、そのパケットの期間に送信するデータ量はＭＰＥＧエンコーダ２から出力されるデータ量によって異なっている。即ち、ビデオカメラ１により撮影される映像の冗長度が大きいときには符号化によるデータ量の削減も大きく、送信されるデータ量も減少する。
【００５５】
送受信端末３ａは、データ▲１▼を送信した後、キャリアセンスを行い、他の送受信端末から送信されているキャリアがあるか否か、及びあるときにはその信号に含まれる自局と同じ拡散符号に係る信号があるかを検出する。相関信号が検出されないとき、及び所定レベル以上のキャリアが検出されないときには、ＳＦＧ信号を送信する。
【００５６】
そのＳＦＧ信号はＵＷＢ信号の最小時間単位である単一シンボル期間で送信されるフラグ信号である。または、ＳＦＧ信号として必要最低限の情報である、映像に係るビットストリームを送信中であることと、所定の期間ごとに伝送する次のデータ期間でもデータを送信することを要求する。ここで、拡散に用いる拡散符号長が短いときには１シンボル期間で伝送できる情報量が少ないため、複数のシンボル期間により上記最低限の情報を伝送する。
【００５７】
すなわち、そのフラグ信号（以下、ＳＦＧと呼ぶこともある。）の送信目的は、送受信端末３ａはビットストリームを送信中であり、プライオリティの高い送信順序にあることを示すためのフラグ信号であることを主張することにある。そのフラグ信号はマスター機５により受信され、その後のパケット化信号の送信端末を選択するための順位を決める参考信号として扱われる。
【００５８】
一方、送信の遅延時間に対して影響を受けにくい送受信端末３ｃは、送受信端末３ａのＳＦＧ送信後にキャリア検出、及びキャリアが検出されるときにはそのキャリア信号の自己の拡散に係る信号成分があるかの相関検出を行う。
【００５９】
キャリアレベルが所定値以下であり、且つ所定値以下のキャリア信号に対する相関信号が検出されないときにはデータ▲４▼を送信する。データ▲４▼の送信期間は（１）の次のＣＳ受信がなされる手前に終了するのが好ましい。そして、次のＣＳの手前でデータ▲４▼の送信が終了したときにはマスター機５は次のパケット化信号送信のための相関検出動作、及び送受信端末３ａに対して送信許可を行うためのＣＮＴの送信を行う。
【００６０】
以上、マスター機５、送受信端末３ａ、及び送受信端末３ｃの間でなされるＱｏＳを保証するビットストリームの送信、及び静止画、文字などの通常の情報信号の送信の方法について述べた。その送信方法によれば、データパケットの送信期間はマスター機５のＣＮＴ信号の送信後から、次のＣＮＴ信号が送信される例えば１６マイクロ秒手前であるＣＳの開始までの時間である。従って、送受信端末３ａはビットストリームを伝送するパケットの送信開始位置を一定の時間間隔に保ちつつ、ＱｏＳの保証された情報信号の伝送を行うことができている。
【００６１】
即ち、その一定の時間間隔で繰り返して設定され、開始されるデータパケットの送信期間により、優先順位の高いビットストリームの継続的な送信が可能とされるため、ＭＰＥＧデコーダ７の図示しないバッファに蓄積されるデータのオーバフロー、ないしはアンダフローが生じることがなく、連続する映像信号の伝送が可能とされる。
【００６２】
さらに、伝送する映像信号の冗長度が多いときなどで、データパケットの期間の一部のみが用いられてデータ伝送されるときには、残りの部分の期間を他の送受信端末に対するデータ送信期間として使用できるため、伝送帯域を有効に使用できている。
【００６３】
さらに、ビットストリームのデータ伝送期間がデータパケット期間に対して短時間で終了したときには、キャリアセンス（ＣＳ）の後に、ＳＦＧによりビットストリーム伝送のためのフラグ情報を伝送するため、次回のデータパケット使用に対する予約、ないしはアナウンスを行っている。
【００６４】
以上、スペクトラム拡散送受信システムの構成とその動作について述べた。
そして、この方法によれば、固定長のデータパケットを用いるデータ伝送と、データ伝送の直前にキャリアセンスを行う伝送との両者を取り入れた伝送効率の高いデータ伝送方法を実現することができる。
【００６５】
そして、上述したスペクトラム拡散信号送受信端末によるデータ伝送は、ＩＥＥＥ８０２．１１ｂ、Ｂｌｕｅｔｏｏｔｈ、及びＭＭＡＣなどで採用されているパケット化されたデータをバースト的に伝送するマルチメディア信号伝送用スペクトラム拡散通信方式に応用できる。
【００６６】
さらに、それらのシステムを国内で用いるときには、いわゆる４ｍ秒ルールとして規定されている「４ｍ秒以内にキャリアをセンスして他に使用者が存在するか否かを調べ、存在するときには直ちに送信を停止しなければならない」を遵守している。
【００６７】
またこのルールは、例えばマスター機５により制御されている送受信端末３ａ、３ｂ、・・・、３ｄは、マスター機５によりキャリアセンスを代表して行うことが許可されているため、固定長のデータパケット期間によるデータ伝送ができている。即ち、そのルールではローカル無線ネットワークを構成するマスター機及び複数の送受信端末のうちの１つによりキャリアセンスの動作がなされれば良いとされている。
【００６８】
そしてまた、データ▲２▼を伝送後のキャリアセンス後のＳＦＧを伝送して後は、４ｍ秒以内であればデータの再送が許可されているため、マスター機５、送受信端末３ａ、及び送受信端末３ｃのいずれかはデータの再送を行える。
【００６９】
以上、本システムを国内で用いる場合について述べたが、上述ののキャリアセンスを行う方法は他の国においても周波数帯域を有効に利用するため、及び端末装置同士の公平利用の面で好適である。
【００７０】
さらに、データの再送は制御信号（ＣＮＴ）の後になされるため、仮に再送期間中に他の送受信端末と送信が重なる場合であっても、その重なりは単一のデータ期間内に終了するため、それにより生じたデータ誤りは誤り信号訂正処理器４７により訂正できる確率が高い。
【００７１】
また、データ伝送後に行うキャリアセンスの期間を、例えば１６シンボル（シンボル繰り返し）期間である４μ秒とし、それに続けて単一シンボル期間のフラグ信号（ＳＦＧ）を送信するようにして上述の送受信システムを実現している。
ここで、そのＳＦＧの伝送について更に説明する。
【００７２】
従来のスペクトラム拡散方式において、無信号に続けて信号を送信する場合には、受信回路部をその信号に同期させるためのプリアンブル信号を前置して伝送する必要がある。そのプリアンブル信号は、ＩＥＥＥ  Ｓｔｄ  ８０８．１１ｂで規定されるＰＬＣＰ（Ｐｈｙｓｉｃａｌ  Ｌａｙｅｒ  Ｃｏｎｖｅｒｇｅｎｃｅ  Ｐｒｏｃｅｄｕｒｅ）プリアンブル信号の場合では１４４ビットを割り当てており、その中に１２８ビットの同期コードが含まれている。
【００７３】
そこで、キャリアセンスを行うために送信を停止した後に伝送するＳＦＧに対し、プリアンブル信号を付加して送信すると、受信端末はそのＳＦＧを受信して復号することができる。しかし、その場合のプリアンブル信号は数シンボル以内の繰り返し期間程度の短い期間で伝送しようとするＳＦＧ信号に比し、はるかに多くの期間を要することになる。
【００７４】
従って、例えばデータ▲１▼送信終了後にデータ▲２▼を伝送する期間の間にプリアンブル信号及びＳＦＧ信号を送信するようにすると、データ▲４▼を伝送するための時間の確保が難しくなる。
【００７５】
そこで、キャリアセンスの後に送信されるＳＦＧ信号は、送受信端末３ｃがデータ▲４▼を伝送するための限られた期間を可能な限り削減させないためにも、ＳＦＧに前置されるプリアンブル信号は省くようにする。
【００７６】
図５に、第１の実施例でのシンボル繰り返し時刻とデータ伝送との時間関係を示し、その動作について更に述べる。
同図において、（４）は送受信端末３ａのデータ伝送に係る動作を示し、（５）は送受信端末３ａのシンボル繰り返しの位置を同期信号のクロックの位置に似せて縦線で示したものである。
【００７７】
ここで、データ▲１▼の伝送開始、及び終了はシンボル繰り返しの位置から開始され、シンボル繰り返しの位置で終了している。次のキャリアセンス（ＣＳ）はデータ▲１▼伝送終了後から開始され、シンボル繰り返しの位置とは異なる位置で終了している。
【００７８】
次のＳＦＧは、ＣＳ終了後の次のシンボル繰り返し位置からその次のシンボル繰り返し位置までの例えば１つの期間で生成され、送信されている。
以上、送受信端末３ａのデータ伝送時間をシンボル繰り返し時間との関係により述べた。
【００７９】
そして、ＳＦＧは例えば１つのシンボル繰り返し時間により伝送することを示した。すなわち、最短伝送時間は、直交符号を伝送する時間間隔である１シンボル期間である。一方、ＳＦＧ信号の伝送期間を直交符号の伝送期間よりも短く設定することも可能ではあるものの、その場合は拡散利得が減少するためその利得減少分の受信Ｓ／Ｎ劣化を防ぐため送信電力を大きくしたＳＦＧを伝送する必要がある。
【００８０】
そして送信電力を増加させることは、キャリアセンスを行った結果検出されなかった他の送受信端末に対して干渉を与える可能性が増加するため、キャリアセンスを行って信号の伝送の可否を判断するスペクトラム拡散通信方式としては好ましくない。
【００８１】
本実施例によるＳＦＧ信号の伝送は、通常行われる送信電力により、数シンボル以内の期間で送信可能な情報量の信号を、データ伝送時に用いていた同期信号を自走させて得らえる同期時間軸上のクロック信号を用い、無信号期間である複数のシンボル期間経過直後の開始位置より送信するようにしている。
【００８２】
従って、データ▲１▼を受信していた送受信端末装置は、キャリアセンスのために無信号とされた後に送信されるＳＦＧ信号を、データ受信時に使用していた同期回路を自走して得られるクロック信号を用いることにより、拡散されて伝送された信号の復号を行うことが出来、シンボル同期のなされたＳＦＧ信号の復号がなされる。
【００８３】
上記の動作は、ＵＷＢ信号におけるＳＦＧ信号の伝送においても同様であり、ＵＷＢ信号を生成するために巡回して用いられる拡散符号の伝送時間を数シンボル以内の期間として設定する。所望のパケットデータ伝送後にキャリアセンスのためにＵＷＢ信号の送信を停止する。
【００８４】
キャリアセンスの結果所望の受信電力が検出されなかったときには、直前まで行っていたデータ伝送に対して巡回して発生されている同期信号を基に、シンボル同期の取られた数シンボルのＳＦＧ信号を送信し、次のデータ伝送の期間まで停波するようにして、前述と同様に動作させる。
【００８５】
以上、シンボル繰り返し期間とＳＦＧの送信時間との関係について述べた。
なおここで、データ伝送後のキャリアセンスでキャリア信号が検出された時には、キャリアセンスを継続して行い、キャリア信号が検出されなくなった時点でビットストリームの伝送を希望するＳＦＧ信号を送信する。
【００８６】
その場合には、送信端末側と受信端末側とで自走している同期信号に位相誤差が生じることとなる。その場合はプリアンブル信号を伝送し、その後に１シンボル期間のフラグ信号を送信するようにしても良い。
【００８７】
以上、マスター機５により制御される送受信端末３ａがビットストリームを伝送する場合について述べた。そして、上述の動作はマスター機５がビットストリームを伝送する場合であっても同様な動作を行う。
【００８８】
≪第２の実施例≫
図６に、第２の実施例によるマスター機５により送信され、送受信端末３ａにより受信される動作の時間関係を示す。
この例の場合は、マスター機５により送信される（６）ビットストリームを送受信端末３ａにより受信する（７）の場合の例である。
【００８９】
そして、第２実施例の動作は、第１の実施例と同様になされる。また、図中に示した▲６▼の期間にキャリアセンスをキャリアが検出されなくなるまで多数回実行し、その期間内にキャリアの検出がなされないときがあれば、次の▲７▼のＣＮＴ、及びデータ▲２▼の伝送が可能となる。
【００９０】
そして、通常の端末装置の場合にはＣＳを行ってキャリアが検出されるときには、自己の乱数発生器が発生する乱数に応じた時間待機して後に次のＣＳを実行できる。しかし、マスター機５の場合は、アクセスポイントにおける送受信端末の送信順位の管理等を行っているため、高頻度のキャリアセンス動作が許可されている。
【００９１】
また、ここで、キャリアセンスは▲６▼の期間に行っているため▲７▼の手前におけるＣＳは省略されている。同様にして、データ▲２▼の送信後キャリアセンスが行なわれているため、データ▲３▼の前のＣＮＴの直前におけるキャリアセンスも省略されている。そして、ＣＮＴは所定の時間毎に送信されているため、データ▲１▼、▲２▼、及び▲３▼も所定の時間毎に送信が開始されている。
【００９２】
以上、第１及び第２の実施例と共に、キャリアセンスを行いながら、連続するビットストリームの送信を行う無線ローカルネットワークの構成と、その動作について述べた。
【００９３】
そして、前述の図４の（３）において、送受信端末３ｃはデータ▲４▼の伝送前にＣＳを行っているが、送受信端末３ｃはマスター機５に管理されて動作している。従って、マスター機５からデータ送信の許可がなされており、送受信端末３ａのデータ送信が短時間で終了したときには、送受信端末３ｃから送信されるＳＦＧの受信より、定期的に開始されるマスター機５のＣＳ開始時点までの期間に、ＣＳを行うことなくデータ▲４▼の伝送を行っても良い。
【００９４】
さらに、伝送されるビットストリームとして映像信号を圧縮符号化して得られるビットストリームの伝送を例として述べたが、そのデータ期間で送信されるビットストリームは音響信号を圧縮符号化して得られるデータであっても、同様に連続する音響信号の送信を可能とするものである。
【００９５】
【発明の効果】
本発明の、送信周波数帯における信号電力を検出した後に符号化された映像情報を拡散して送信するスペクトラム拡散通信方式によれば、送受信制御端末により指定される指定端末は、指定時刻にパケット化連続データを所定の周波数帯に送信した後に、その周波数帯に所望の信号電力以上の電力が存在するかを検出し、所望の信号電力以上の電力が検出されないときは、次のパケット化連続データの送信許可を送受信制御端末に要求するようにしているため、送受信端末は簡略化された送信許可手続きにより送信時間の調整を行うようにし、衝突により生じるデータパケットの誤り率を減少させ、さらに符号化された映像信号の送信がスムーズに行えるようにしたスペクトラム拡散通信方式を提供することができる効果を有している。
【００９６】
本発明の、送信周波数帯における拡散符号と相関する信号電力を検出した後に符号化された映像情報を拡散して送信するスペクトラム拡散通信方式によれば、送受信制御端末により指定される指定端末は、指定時刻にパケット化連続データを所定の周波数帯に送信した後に、その周波数帯に拡散符号と相関するキャリア信号が存在するかを検出し、相関するキャリア信号が検出されないときは、次のパケット化連続データの送信許可要求信号を送受信制御端末に送信するようにしているため、送受信端末は簡略化された送信許可手続きにより送信時間の調整を行うようにし、相関する拡散符号による信号同士の衝突により生じるデータパケットの誤り率を減少させ、さらに符号化された映像信号の送信がスムーズに行えるようにしたスペクトラム拡散通信方式を提供することのできる効果を有している。
【００９７】
また、本発明の送信要求信号を送信期間が１シンボル期間である最小時間単位の拡散信号により行うようにしたスペクトラム拡散通信方式によれば、送信許可要求信号の送信時間を最小にできるため、上記のスペクトラム拡散通信方式による効果の他に、パケット化連続データの送信を行わない他の送受信端末に対し、上記信号の送信を行っていない空き時間を有効に利用したパケットデータの送信を行えるようにしたスペクトラム拡散通信方式を提供することのできる効果を有している。
【００９８】
また、本発明の映像情報を送信中であること、及びパケット化映像情報を次の定期的に設定されるデータ送信期間で送信することを示す最小の送信要求信号を複数シンボル期間の拡散信号により行うようにしたスペクトラム拡散通信方式によれば、送信要求信号の送信時間を最小限にできるため、上記のスペクトラム拡散通信方式による効果の他に、パケット化連続データの送信を行わない他の送受信端末に対し、上記信号の送信を行っていない空き時間を有効に利用したパケットデータの送信を行えるようにしたスペクトラム拡散通信方式を提供することのできる効果を有している。
【００９９】
本発明の、送信周波数帯における信号電力を検出した後に符号化された映像情報を拡散して送信するスペクトラム拡散通信装置によれば、送受信制御端末により指定される指定端末は、指定時刻にパケット化連続データを所定の周波数帯に送信した後に、その周波数帯に所望の信号電力以上の電力が存在するかを検出し、所望の信号電力以上の電力が検出されないときは、次のパケット化連続データの送信許可要求信号を送受信制御端末に送信するようにしているため、送受信端末は簡略化された送信許可手続きにより送信時間の調整を行うようにし、衝突により生じるデータパケットの誤り率を減少させ、さらに符号化された映像信号の送信がスムーズに行えるようにしたスペクトラム拡散通信装置の構成を提供することのできる効果を有している。
【０１００】
本発明の、送信周波数帯における拡散符号と相関する信号電力を検出した後に符号化された映像情報を拡散して送信するスペクトラム拡散通信装置によれば、送受信制御端末により指定される指定端末は、指定時刻にパケット化連続データを所定の周波数帯に送信した後に、その周波数帯に拡散符号と相関するキャリア信号を検出し、キャリア信号が検出されないときは、次のパケット化連続データの送信許可要求信号を送受信制御端末に送信するようにしているため、送受信端末は簡略化された送信許可手続きにより送信時間の調整を行うようにし、相関する拡散符号による信号同士の衝突により生じるデータパケットの誤り率を減少させ、さらに符号化された映像信号の送信がスムーズに行えるようにしたスペクトラム拡散通信装置の構成を提供することのできる効果を有している。
【図面の簡単な説明】
【図１】本発明の第１の実施例に係る、スペクトラム拡散送受信システムの概略ブロック図である。
【図２】本発明の第１の実施例に係る、スペクトラム拡散信号送信部の概略ブロックを示す図である。
【図３】本発明の第１の実施例に係る、スペクトラム拡散信号受信部の概略ブロックを示す図である。
【図４】本発明の第１の実施例に係る、スペクトラム拡散信号送受信システムの動作タイミングを示す図である。
【図５】本発明の第１の実施例に係る、マスター機により送信され、送受信端末により受信される場合の時間関係を示す図である。
【図６】本発明の第２の実施例に係る、スペクトラム拡散信号送受信システムの動作タイミングを示す図である。
【符号の説明】
１  ビデオカメラ
２  ＭＰＥＧエンコーダ
３ａ、３ｂ、３ｃ、３ｄ  送受信端末
５  マスター機
７  ＭＰＥＧデコーダ
８  ＴＶ
３１  ストリーム判定器
３２  ヘッダ信号生成器
３３  誤り訂正信号付加器
３４  マッピング器
３５  拡散処理器
３６  ストリームフラグ器
３８  高周波信号処理器
４１  高周波信号処理器
４２  相関信号検出器
４３  キャリアレベル検出器
４４  キャリアレベル判定器
４５  逆拡散処理器
４６  デマッピング器
４７  誤り信号訂正処理器
４８  ヘッダ信号取得器
【図１】
2004343184.tif 000003
【図２】
2004343184.tif 000004
【図３】
2004343184.tif 000005
【図４】
2004343184.tif 000006
【図５】
2004343184.tif 000007
【図６】
2004343184.tif 000008